(57)【特許請求の範囲】
【請求項１】
柄部と、
前記柄部の一端側に設けられた、歯を磨くための歯磨き部と、を備え、
前記歯磨き部は、紙製の複数の線条からなり、
前記柄部及び前記歯磨き部は、全体が、棒状に丸められた１枚の紙シートからなり、
前記紙シートにおける前記歯磨き部を構成する部分には複数の切込線が形成されており、隣り合う当該切込線の間の紙片が前記各線条を構成し、
前記柄部の他端部は、表面に複数の切れ目が形成されることにより粗面化されており、歯間に挿入可能であることを特徴とする歯磨き具。
【請求項２】
請求項１に記載の歯磨き具において、
前記歯磨き部は、１０本以上の前記線条からなる歯磨き具。
【請求項３】
請求項２に記載の歯磨き具において、
前記歯磨き部は、３０本以上の前記線条からなる歯磨き具。
【請求項４】
請求項１乃至３の何れかに記載の歯磨き具において、
前記各線条の長さは、５ｍｍ以上１５ｍｍ以下である歯磨き具。
【請求項５】
請求項１乃至４の何れかに記載の歯磨き具において、
前記歯磨き部には、口腔用の薬剤が含浸又は付着している歯磨き具。
【請求項６】
請求項５に記載の歯磨き具において、
前記柄部及び前記歯磨き部を前記薬剤と共に収容する袋体を備える歯磨き具。
【請求項７】
請求項６に記載の歯磨き具において、
前記袋体は、前記歯磨き部を収容する第１の空間と、前記柄部を収容する第２の空間とを有する歯磨き具。
【請求項８】
請求項７に記載の歯磨き具において、
前記薬剤は、前記第１及び第２の空間のうち前記第１の空間にのみ収容されている歯磨き具。
【請求項９】
請求項１乃至８の何れかに記載の歯磨き具において、
前記他端部は、先細りの形状をしている歯磨き具。
【請求項１０】
請求項１乃至９の何れかに記載の歯磨き具において、
前記他端部は、曲線状に延びている歯磨き具。
【発明の詳細な説明】
【技術分野】
【０００１】
本発明は、歯を磨くための歯磨き具に関する。
【背景技術】
【０００２】
従来の歯磨き具としては、例えば特許文献１に記載されたものがある。同文献に記載された歯磨き具は、柄部、及びスポンジ部を備えている。柄部は、プラスチック製であり、細長い板状をしている。スポンジ部は、平面視で楕円形をしており、柄部の先端に固定されている。柄部を手に持ってスポンジ部で歯を擦ることにより、歯を磨くことができる。
【先行技術文献】
【特許文献】
【０００３】
【特許文献１】特開２０１０−８８８４５号公報
【発明の概要】
【発明が解決しようとする課題】
【０００４】
このようにスポンジ部は、歯を磨くための歯磨き部として機能する。しかしながら、上述のスポンジ部は、歯と歯茎との隙間（歯周ポケット）に入り込むことができない。そのため、特許文献１に記載された歯磨き具では、歯周ポケットの清掃までは行うことができない。
【０００５】
本発明は、上記課題に鑑みてなされたものであり、歯周ポケットの清掃も行うことが可能な歯磨き具を提供することを目的とする。
【課題を解決するための手段】
【０００６】
本発明による歯磨き具は、柄部と、上記柄部の一端側に設けられた、歯を磨くための歯磨き部と、を備え、上記歯磨き部は、紙製の複数の線条からなることを特徴とする。
【０００７】
この歯磨き具においては、歯磨き部が紙製の複数の線条からなる。このため、歯磨き部を構成する各線条が歯周ポケットに入り込むことにより、歯周ポケットの清掃も行うことができる。
【発明の効果】
【０００８】
本発明によれば、歯周ポケットの清掃も行うことが可能な歯磨き具が実現される。
【図面の簡単な説明】
【０００９】
【図１】本発明による歯磨き具の第１実施形態を示す正面図である。
【図２】図１の歯磨き具の製造方法の一例を説明するための平面図である。
【図３】本発明による歯磨き具の第２実施形態を示す正面図である。
【図４】柄部１０の一変形例を説明するための正面図である。
【図５】柄部１０の他の変形例を説明するための模式図である。
【図６】柄部１０の他の変形例を説明するための模式図である。
【図７】柄部１０の他の変形例を説明するための正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による歯磨き具の第１実施形態を示す正面図である。歯磨き具１は、柄部１０、及び歯磨き部２０を備えている。柄部１０は、歯磨き具１の使用者が手で持つ部分である。柄部１０は、丸棒状をしている。柄部１０の長さｄ１は、例えば、４〜８ｃｍである。柄部１０の径ｄ２は、例えば、１〜３ｍｍである。本実施形態において柄部１０は、紙製である。
【００１２】
歯磨き部２０は、歯を磨くための部分であり、柄部１０の一端側に設けられている。歯磨き部２０は、柄部１０と一体に形成されている。歯磨き部２０は、複数の線条２２からなる。各線条２２は、紙製である。歯磨き部２０は、１０本以上の線条２２からなることが好ましく、３０本以上の線条２２からなることがより好ましい。各線条２２は、１枚の紙片からなる。各線条２２の長さは、５ｍｍ以上１５ｍｍ以下であることが好ましい。各線条２２を構成する紙片は、柄部１０と連続している。すなわち、複数の線条２２は、柄部１０の一端から分岐している。歯磨き部２０には、口腔用の薬剤（例えば歯磨き）が予め含浸又は付着していることが好ましい。薬剤は、液体状、ペースト状、ジェル状、粉末状の何れであってもよい。
【００１３】
図２を参照しつつ、歯磨き具１の製造方法の一例を説明する。まず、矩形状の紙シート３０を準備する。紙シート３０の端部３２（歯磨き部２０を構成する部分）には、複数の切込線Ｃ１が形成されている。同図において各切込線Ｃ１は、紙シート３０の右辺から当該右辺と垂直に延びている。各切込線Ｃ１の長さは、線条２２の長さに等しい。複数の切込線Ｃ１は、紙シート３０の上下方向（図中の上下方向に等しい。）に等間隔で配設されている。当該間隔は、例えば、０．５〜１．５ｍｍである。隣り合う切込線Ｃ１の間の紙片（一番上の切込線Ｃ１と紙シート３０の上辺との間の紙片、及び一番下の切込線Ｃ１と紙シート３０の下辺との間の紙片も含む。）が、上述の線条２２を構成することになる。
【００１４】
続いて、紙シート３０における端部３２を除く部分（柄部１０を構成する部分）に接着剤を塗布する。その後、紙シート３０を上下方向に丸めて棒状にする。これにより、図１の歯磨き具１が得られる。
【００１５】
歯磨き具１の効果を説明する。歯磨き具１においては、歯磨き部２０が紙製の複数の線条２２からなる。このため、歯磨き部２０を構成する各線条２２が歯周ポケットに入り込むことにより、歯周ポケットの清掃も行うことができる。したがって、歯周ポケットの清掃も行うことが可能な歯磨き具１が実現されている。
【００１６】
また、このように歯磨き部２０が紙製であるため、歯を磨く際に、歯や歯肉に過度な力が加わるのを防ぐことができる。それゆえ、歯磨き具１には、歯や歯肉を傷つけにくいという利点もある。
【００１７】
歯磨き部２０を構成する線条２２の本数を多くすることは、歯の広範囲を同時に磨くのに有利である。かかる観点から、歯磨き部２０は、１０本以上の線条２２からなることが好ましく、３０本以上の線条２２からなることがより好ましい。また、多数の線条２２が束になって歯磨き部２０を構成することにより、１本１本の線条２２の強度が低い場合であっても、歯磨き部２０全体として充分な強度を確保することができる。
【００１８】
各線条２２は、１枚の紙片からなる。これにより、各線条２２の厚みが小さくなるため、各線条２２が歯周ポケットに入り込みやすくなる。
【００１９】
各線条２２の長さを大きくすることは、歯周ポケットの深部まで磨くのに有利である。他方、各線条２２の長さを大きくしすぎると、歯磨き部２０の強度が不充分になりかねない。かかる観点から、各線条２２の長さは、５ｍｍ以上１５ｍｍ以下であることが好ましい。
【００２０】
柄部１０は、歯磨き部２０と同様に紙製である。このため、歯磨き具１の使用後に、柄部１０及び歯磨き部２０を分離することなく可燃ゴミとして廃棄することができる。
【００２１】
歯磨き部２０は、柄部１０と一体に形成されている。これらの柄部１０及び歯磨き部２０は、同一の材料（紙シート３０）を用いて同時に形成される。この場合、柄部１０と歯磨き部２０とを別々に形成する場合と異なり、歯磨き具１の製造の際、柄部１０に歯磨き部２０を取り付ける工程を省略することができる。
【００２２】
歯磨き部２０に口腔用の薬剤が含浸又は付着している場合、薬剤を別途用意しなくても、歯磨き部２０に薬剤が含浸等した状態で歯を磨くことができる。
（第２実施形態）
【００２３】
図３は、本発明による歯磨き具の第２実施形態を示す正面図である。歯磨き具２は、柄部１０及び歯磨き部２０に加えて、袋体４０を備えている。柄部１０及び歯磨き部２０の構成は、第１実施形態で説明したとおりである。
【００２４】
袋体４０は、柄部１０及び歯磨き部２０を薬剤と共に収容している。袋体４０は、歯磨き部２０を収容する空間Ｓ１（第１の空間）と、柄部１０を収容する空間Ｓ２（第２の空間）とを有している。具体的には、袋体４０は、内袋４２及び外袋４４からなる二重構造をしている。内袋４２は、外袋４４の中に設けられている。内袋４２の内部空間が、空間Ｓ１を構成している。また、外袋４４の内部空間のうち内袋４２の内部空間（空間Ｓ１）を除く部分が、空間Ｓ２を構成している。
【００２５】
薬剤は、空間Ｓ１及び空間Ｓ２のうち空間Ｓ１にのみ収容されている。薬剤の少なくとも一部は、歯磨き部２０から離れた状態で袋体４０に収容されていてもよい。すなわち、空間Ｓ１においては、薬剤の一部が歯磨き部２０から離れた状態にある一方で残りの薬剤が歯磨き部２０に含浸又は付着した状態にあってもよいし、薬剤の全部が歯磨き部２０から離れた状態にあってもよい。なお、内袋４２には柄部１０を貫通させる穴が形成されているが、薬剤が空間Ｓ１の外に漏れないように、当該穴は柄部１０に密着している。袋体４０の材料としては、例えばプラスチックを用いることができる。
【００２６】
歯磨き具２の効果を説明する。歯磨き具２には、柄部１０及び歯磨き部２０を薬剤と共に収容する袋体４０が設けられている。これにより、使用前に柄部１０及び歯磨き部２０を衛生的に保管しておくことができる。また、保管中に、薬剤が乾燥したり、服や物に付着したりする事態を回避することができる。
【００２７】
薬剤は、空間Ｓ１及び空間Ｓ２のうち空間Ｓ１にのみ収容されている。これにより、保管中に、手で触れる部分（柄部１０）に薬剤が付着するのを防ぐことができる。
【００２８】
薬剤の少なくとも一部が歯磨き部２０から離れた状態で袋体４０に収容されている場合、歯磨き部２０に含浸又は付着した薬剤が不足したときであっても、当該薬剤を補充することができる。歯磨き具２のその他の効果は、歯磨き具１と同様である。
【００２９】
本発明は、上記実施形態に限定されるものではなく、様々な変形が可能である。上記実施形態において柄部１０の他端部は、歯間に挿入可能であってもよい。その場合、図４に示すように、柄部１０の他端部１２は、先細りの形状をしていることが好ましい。また、柄部１０の他端部１２は、粗面化されていることが好ましい。他端部１２の粗面化は、例えば、図５及び図６に模式的に示すように、表面に複数の切れ目を形成することにより実現することができる。すなわち、他端部１２の表面に切れ目を形成して毛羽立たせることにより、粗面化することができる。他端部１２は、図７に示すように、曲線状に延びていてもよい。
【００３０】
このように柄部１０の他端部１２を歯間に挿入することにより、歯間を清掃することができる。特に柄部１０が紙製の場合であれば、歯や歯肉を傷つけることなく歯間の清掃を行うことができる。他端部１２を先細りの形状にすることにより、他端部１２を歯間に挿入しやすくなる。また、他端部１２を粗面化することにより、歯間の歯垢や食べ滓を掻き出しやすくなるため、歯間の清掃効果を高めることができる。さらに、他端部１２が曲線状に延びている場合、奥歯の歯間に対して他端部１２を挿入しやすくなる。
【００３１】
上記実施形態においては、各線条２２が１枚の紙片からなる場合を例示した。しかし、各線条２２は、互いに貼り合わされた複数の紙片からなっていてもよい。
【００３２】
上記実施形態においては、柄部１０が紙製である場合を例示した。しかし、柄部１０は、紙以外の材料からなっていてもよい。例えば、柄部１０は、プラスチック製であってもよい。
【符号の説明】
【００３３】
１  歯磨き具
２  歯磨き具
１０  柄部
１２  他端部
２０  歯磨き部
２２  線条
３０  紙シート
３２  端部
４０  袋体
４２  内袋
４４  外袋
Ｓ１  空間（第１の空間）
Ｓ２  空間（第２の空間）
【図１】
0006537555.tif 000002
【図２】
0006537555.tif 000003
【図３】
0006537555.tif 000004
【図４】
0006537555.tif 000005
【図５】
0006537555.tif 000006
【図６】
0006537555.tif 000007
【図７】
0006537555.tif 000008